(57)【要約】【課題】  投受光一体型のコンパクトボディでありながら、この制限された幅を有効に利用して投光部側では高い投光性能を発揮し且つ受光部側では高い受光性能を発揮することのできる防犯検知装置を提供する。【解決手段】  ユニット本体３内に、投光用レンズ１３及び発光素子１１を有する投光部１と、受光用レンズ１４及び受光素子１２を有する受光部２とを、背中合わせに備えて成る防犯検知装置において、投光部１側の焦点距離を受光部２側の焦点距離よりも長く設ける。【選択図】        図１
2006018479.tif 000002
【特許請求の範囲】
【請求項１】
ユニット本体内に、投光用レンズ及び発光素子を有する投光部と、受光用レンズ及び受光素子を有する受光部とを、背中合わせに備えて成る防犯検知装置において、投光部側の焦点距離を受光部側の焦点距離よりも長く設けることを特徴とする防犯検知装置。
【請求項２】
上記受光用レンズを、内側レンズと外側レンズを用いた二枚レンズ構成とすることを特徴とする請求項１に記載の防犯検知装置。
【請求項３】
上記投光用レンズと受光用レンズの少なくとも一方を、ユニット本体に嵌め込まれるレンズカバーと一体に形成することを特徴とする請求項１又は２に記載の防犯検知装置。
【発明の詳細な説明】
【技術分野】
【０００１】
本発明は、外溝フェンス等に取付けて侵入者を検知する為に有用な、投受光一体型の防犯検知装置に関するものである。
【背景技術】
【０００２】
従来から、投光部と受光部とを背中合わせに備えて成る防犯検知装置が知られている（特許文献１参照）。この防犯検知装置は、例えば図６に示すように住宅等の建物の周囲に設けられた外溝フェンス５０に連設され、隣接する一方の防犯検知装置の投光部５１と他方の防犯検知装置の受光部５２との間で赤外線の投受光を行わせることで、赤外線が遮られた場合には侵入者の存在を検知して報知や威嚇を行うことが可能なものである。上記投光部５１は投光用レンズと発光素子とを備え、投光用レンズを通過させることで発光素子の発する赤外線を平行光線に絞ったうえで外部に出射させものであり、また、上記受光部５２は受光用レンズと受光素子とを備え、受光用レンズを通過させることで外部から入射する赤外線を受光素子に集中させるものである。
【０００３】
ここで、上記防犯検知装置は投光部５１と受光部５２とを取付金具５３の両側に固定する構造であり、したがって装置全体が幅広に形成されてしまうという問題があった。そこで、本発明者はまず図５に示すような投受光一体型の防犯検知装置を考えた。この防犯検知装置は、箱型のユニット本体３内に投光部１と受光部２とを一体に備えた構造であり、ユニット本体３を二等分割する位置に内蔵させた基板６の一方の面に発光素子１１を配するとともに該基板６の他方の面に受光素子１２を配し、ユニット本体３の発光素子１１との対向部分に投光用レンズ１３を配し、受光素子１２との対向部分に受光用レンズ１４を配することで、投光部１と受光部２を背中合わせに形成した構造でありながら装置全体の幅をコンパクトにまとめることが可能になっている。図中１５，２０は投光側及び受光側のレンズカバーであり、ユニット本体３に嵌め込まれて投光用レンズ１３や受光用レンズ１４を保護するものである。
【０００４】
ここで、投光部１側においては高い投光性能を持たせる為に、投光用レンズ１３の収差の影響を軽減させることで発光素子１１の発する赤外線が高精度で平行光線に絞られるように設けることが要求される。また受光部２側においては高い受信性能を持たせる為に、施工時のばらつきや振動等により光軸にずれが生じても赤外線を受光することができるように集光角度を広角に設けることが要求される。しかしながら、この防犯検知装置においては投光用レンズ１３と受光用レンズ１４とで同一のレンズを使用するようになっているので、投光部１側においては投光用レンズ１３の収差の影響により平行光線に絞り難く、また受光部２側においては集光角度を十分に広く設けることが困難であるという問題が生じた。
【特許文献１】実開平６−６７９０８号公報
【発明の開示】
【発明が解決しようとする課題】
【０００５】
本発明は上記問題点に鑑みて発明したものであって、投受光一体型のコンパクトボディでありながら、この制限された幅を有効に利用して投光部側では高い投光性能を発揮し且つ受光部側では高い受光性能を発揮することのできる防犯検知装置を提供することを課題とするものである。
【課題を解決するための手段】
【０００６】
上記課題を解決するために本発明を、ユニット本体３内に、投光用レンズ１３及び発光素子１１を有する投光部１と、受光用レンズ１４及び受光素子１２を有する受光部２とを、背中合わせに備えて成る防犯検知装置において、投光部１側の焦点距離を受光部２側の焦点距離よりも長く設けることを特徴としたものとする。このようにすることで、投光部１側では焦点距離が大きく収差の影響が軽減された投光用レンズ１３を用いることができ、したがって受光素子１１の発する赤外線を高精度で平行光線に絞ることが可能であることから高い投光性能を発揮することができ、また、受光部２側では焦点距離が短く広角の集光角度で受光素子１２に光を集中させることが可能な受光用レンズ１４を用いることができ、したがって高い受光性能を発揮することができる。即ち、上記構成とすることでコンパクトなユニット本体３の制限された幅を有効に利用して、投光性能及び受光性能を共に高水準で発揮することが可能なものである。
【０００７】
また、上記受光用レンズ１４を、内側レンズ１８と外側レンズ１９を用いた二枚レンズ構成とすることも好適であり、このようにすることで、受光部２側の集光角度を広く設定して受光性能を向上させることが容易である。
【０００８】
また、上記投光用レンズ１３と受光用レンズ１４の少なくとも一方を、ユニット本体１に嵌め込まれるレンズカバー１５，２０と一体に形成することも好適であり、このようにすることで、装置全体をコンパクト化することができるとともに、レンズ１３，１４をレンズカバー１５，２０と一体にユニット本体３に装着することができるので取付け作業を容易且つ確実に行うことができる。
【発明の効果】
【０００９】
本発明の防犯検知装置は、投受光一体型のコンパクトボディでありながら、この制限された幅を有効に利用して投光部側では高い投光性能を発揮し且つ受光部側では高い受光性能を発揮することができる。
【発明を実施するための最良の形態】
【００１０】
以下、本発明を添付図面に示す実施形態に基いて説明する。図１、図２には、本発明の実施の形態における一例の防犯検知装置の全体を示している。図示のように本例の防犯検知装置は、その外殻を成すユニット本体３内に投光部１を上下二段に設け、各投光部１と背中合わせの位置に受光部２を同じく上下二段に設けた、所謂ダブルビーム方式の送受信一体型構造のものである。上記ユニット本体３は、投光部１側を保持する投光側ボディ４と、受光部２側を保持する受光側ボディ５により形成されており、ユニット本体３内には、上下に伸びた長板状の一枚の基板６を投光側ボディ４と受光側ボディ５に挟持される状態で内蔵させている。上記基板６の中央部分には固定穴７を穿設してあり、投光側ボディ４と受光側ボディ５には、互いに逆側から基盤６の固定穴７部分と接触するように、投光側固定ボス８と受光側固定ボス９とを夫々突設している。上記投光側固定ボス８はその先端及び基端側が貫通した筒状を成すものであり、上記受光側固定ボス９はその先端側のみが貫通した筒状を成すものである。そして、投光側ボディ４に開口させてあるビス挿入口１０を介して外側から投光側固定ボス８内に固定ビス（図示せず）を挿入し、この固定ビスの先端を基板６の固定穴７を介して受光側固定ボス９内に挿入してねじ固定することで、基板６を投光側ボディ４及び受光側ボディ５にねじ固定させている。
【００１１】
上記基板６は、投光側ボディ４と対向する片面側に発光素子１１を装着させるとともに、受光側ボディ５と対向する反対面側に受光素子１２を装着させるものであり、投光側ボディ４には発光素子１１の正面に位置するように投光用レンズ１３を配し、受光側ボディ５には受光素子１２の正面に位置するように受光用レンズ１４を配している。
【００１２】
本例の投光部１は上記の発光素子１１と投光用レンズ１３とで形成され、発光素子１１から発せられる赤外線を投光用レンズ１３に当て、投光用レンズ１３を介して平行光線に絞ったうえで外部に向けて出射させるものである。投光用レンズ１３は投光側ボディ４に外側から嵌め込み固定されるレンズカバー１５と一体に形成されており、上記嵌め込み固定状態において、投光側ボディ４に開口させてある投光穴１６の開口部分に投光用レンズ１３が位置するように設定している。また、投光用レンズ１３は発光素子１１側を向く内面が凸曲面であり且つ外部側に露出する外観面が平坦面である片凸レンズであって、投光用レンズ１３の外周縁から延設される形状のレンズカバー１５の外観面と投光用レンズ１３の外観面とを面一に形成している。即ち、換言すれば上記レンズカバー１５はその一部内面を凸曲面状に形成することで該凸曲面部分を投光用レンズ１３としたものであり、図３（ａ）に示すようにレンズカバー１５の外周縁に四箇所設けた爪部１７を介して押込み嵌合を行うことによって、レンズカバー１５が投光用レンズ１３と一体に投光側ボディ４に固定されるようになっている。
【００１３】
また、本例の受光部２は受光素子１２と受光用レンズ１４とで形成され、外部から入射される赤外線を受光用レンズ１４に当てて受光素子１２に集中させるものである。上記受光用レンズ１４は、図３（ｂ）、（ｃ）に示すような内側レンズ１８と外側レンズ１９とを用いた二枚レンズ構造であり、内側レンズ１４を両凸レンズで形成し、外側レンズ１９を、受光素子１２側を向く内面が凸曲面であり且つ外部側に露出する外観面が平坦面である片凸レンズで形成している。上記外側レンズ１９は投光用レンズ１３と同様にレンズカバー２０と一体に形成されており、外側レンズ１９の外周縁から延設される形状のレンズカバー２０の外観面と外側レンズ１９の外観面とを面一に形成している。即ち、上記レンズカバー２０はその一部内面を凸曲面状に形成することで該凸曲面部分を外側レンズ１９としたものであり、レンズカバー２０の外周縁に四箇所設けている爪部２１を介して為される外側からの押込み嵌合によってレンズカバー２０が外側レンズ１９と一体に受光側ボディ５に固定され、この固定状態において、受光側ボディ５に開口させてあり且つ内側レンズ１８の固定される受光穴２２の開口部分に外側レンズ１９が位置するように設定している。なお、図中２３は基板６に固定されて受光素子１２の位置決めを行うと同時に、発光素子１１の発する赤外線を受光素子１２が受光しないように遮断する為の受光素子ホルダである。
【００１４】
ここで、本例においては投光用レンズ１３として焦点距離の長いレンズを用い、受光用レンズ１４として二枚レンズ構造を用いて焦点距離を短くしているのだが、基板６を、本体ユニット３を投光部１側と受光部２側に二等分割する位置よりも受光部２側にずれた箇所に位置させていることで、投光用レンズ１３によって発光素子１１から発する赤外線が平行光線に絞られ、また受光用レンズ１４によって外部からの赤外線が受光素子１２に集光されるようになっている。しかも、投光部１においては上記のように焦点距離が長いので投光レンズ１４の収差の影響を受け難く、したがって平行光線に絞り易いことから投光性能を大幅に向上させることができる。また、焦点距離が長いことから発光素子１１として狭指向性のＬＥＤ等を好適に用いることができ、これによりレンズカバー１５に水や汚れ等の付着物が付いた場合であっても赤外線が遮断されないような更に高い投光性能を得ることができるものである。
【００１５】
一方、受光部２においては上記のように焦点距離が短いことから広角の集光性能を実現することができ、受光素子１２として広指向性のフォトトランジスタ等を好適に用いることで受光性能を大幅に向上させることができる。図４には、仮に一枚のレンズ３０で集光を行う場合と本例のように二枚のレンズ１８，１９で集光を行う場合とを対比しているが、図示のように二枚レンズ構成を用いることで受光素子１２における集光角度αを広く設けることができ、これにより外部から入射される赤外線に多少のばらつきが生じた場合であっても問題なく受光素子１２に集光させることが可能なものである。但し、短焦点距離化による広角集光性能が実現されるのであれば一枚レンズや三以上の複数枚レンズ構成であっても構わない。
【００１６】
そして、本例においては上記のように投光性能及び受光性能を共に向上させるにあたって基板６の位置を受光部２側に寄せて焦点距離を投光部１と受光部２とで相違させる構成を用いているので、ユニット本体１を幅広に形成する必要がなく、したがって投受光一体型のコンパクトボディでありながら制限された幅を有効活用して投光性能及び受光性能を共に高水準で実現した防犯検知装置として提供されるものである。基板６の位置は投光側固定ボス８及び受光側固定ボス９の突出長さにより決定され、この突出長さの設計変更により調整可能である。
【００１７】
なお、上記の投光用レンズ１３や内側レンズ１８、外側レンズ１９は、収差の影響を軽減させる為に非球面形状とすることが好適である。また、本例においては投光用レンズ１３と受光用レンズ１４の両方をレンズカバー１５，２０と一体に形成しているが、一方のみを一体形成したものであっても構わない。
【図面の簡単な説明】
【００１８】
【図１】本発明の実施の形態における一例の防犯検知装置の概略断面図である。
【図２】同上の防犯検知装置の斜視図であり、(ａ)は投光部側から見た場合、（ｂ）は受光部側から見た場合を示している。
【図３】同上の防犯検知装置に装着されるレンズを示す説明図であり、(ａ)は投光用レンズ、（ｂ）は内側レンズ、（ｃ）は外側レンズを示している。
【図４】同上の短焦点距離化による集光性の変化を示す説明図であり、(ａ)は一枚レンズ構成の場合、（ｂ）は二枚レンズ構成の場合を示している。
【図５】本発明の基本的な概念を示す説明図である。
【図６】従来の防犯検知装置を示す説明図である。
【符号の説明】
【００１９】
１  投光部
２  受光部
３  ユニット本体
１１  発光素子
１２  受光素子
１３  投光用レンズ
１４  受光用レンズ
１５  レンズカバー
１８  内側レンズ
１９  外側レンズ
２０  レンズカバー
【図１】
2006018479.tif 000003
【図２】
2006018479.tif 000004
【図３】
2006018479.tif 000005
【図４】
2006018479.tif 000006
【図５】
2006018479.tif 000007
【図６】
2006018479.tif 000008